(57)【要約】【課題】メンテナンス作業を良好に行うことができると同時に、断熱室内の断熱室内壁面と商品収納装置との間の断熱性能を良好に維持しながら断熱室内を上下に良好に分割することができる自動販売機を提供する。【解決手段】商品収納装置１０が、自動販売機本体内に収納された収納姿勢から自動販売機本体より手前側に引き出された引出姿勢にわたって前後に引き出し押し込み可能に配設され、商品収納装置１０内の空間が、遮熱フラッパにより上部商品収納領域と下部商品収納領域とに仕切られ、断熱室における商品収納装置１０外の空間が、遮熱壁部１６により上下に分割された状態で仕切られ、下部商品収納領域を含む下部断熱領域のみ調温される自動販売機において、遮熱壁部１６が、後方ほど上方となる傾斜姿勢で配設され、前記遮熱壁部１６に、商品収納装置１０が収納姿勢側に向けて後方に押し込まれることで上下方向にも圧接されるシール部品が配設されている。【選択図】図８
2010146132.tif 000002
【特許請求の範囲】
【請求項１】
自動販売機本体内に配設された断熱室内に、上方から下方に延びる搬送通路が前後に複数列設けられた商品収納装置が、自動販売機本体内に収納された収納姿勢から自動販売機本体より手前側に引き出された引出姿勢にわたって前後に引き出し押し込み可能に配設され、商品収納装置内の空間が、各搬送通路の中間部で開閉する遮熱フラッパにより、上部商品収納領域と下部商品収納領域とに上下に分割された状態で仕切られ、断熱室における商品収納装置外の空間が、遮熱壁部により上下に分割された状態で仕切られた自動販売機であって、前記遮熱壁部に設けられた遮熱壁が、後方ほど上方となる傾斜姿勢で配設され、前記遮熱壁部に、商品収納装置が収納姿勢側に向けて後方に押し込まれることで前記遮熱壁に対して上下方向にも圧接されるシール部品が配設されていることを特徴とする自動販売機。
【請求項２】
遮熱壁部は、自動販売機本体の断熱室内壁面に取り付けられた本体側遮熱壁と、商品収納装置に取り付けられた収納装置側遮熱壁と、本体側遮熱壁と収納装置側遮熱壁との少なくとも一方に取り付けられて、商品収納装置が断熱室内に収納された際に圧縮されて、本体側遮熱壁と収納装置側遮熱壁との間の隙間を埋めるシール部品とを備えていることを特徴とする請求項１記載の自動販売機。
【請求項３】
商品収納装置において搬送通路が前後に複数列配設され、搬送通路の中間部に設けられた遮熱フラッパを内装した遮熱ユニットが、後方ほど順に上方となるように階段状に配設され、遮熱ユニットの側面を結ぶラインに沿って、商品収納装置の外側箇所に、遮熱壁部が配設されていることを特徴とする請求項１または２に記載の自動販売機。
【請求項４】
商品収納装置全体を自動販売機本体から手前側に引き出した際に吊り下げた姿勢を維持できるスライドレール装置が備えられていることを特徴とする請求項１〜３の何れか１項に記載の自動販売機。
【請求項５】
商品収納装置が収納姿勢から手前側に移動しないように阻止して収納姿勢を維持する収納姿勢ロック装置が備えられていることを特徴とする請求項４に記載の自動販売機。
【請求項６】
商品収納装置が引出姿勢から奥側に移動しないように阻止して引出姿勢を維持する引出姿勢ロック装置が備えられていることを特徴とする請求項４または５に記載の自動販売機。
【請求項７】
引出姿勢ロック装置は、商品収納装置を収納姿勢側から引出姿勢に移動した際に、収納姿勢側への移動を阻止するよう自動的にロックすることを特徴とする請求項６に記載の自動販売機。
【請求項８】
自動販売機本体内に配設された断熱室内に、上方から下方に延びる搬送通路が前後に複数列設けられた商品収納装置が配設され、この商品収納装置内の各搬送通路の空間が、各搬送通路の中間部で開閉する左右で対となった遮熱フラッパにより、上部商品収納領域と下部商品収納領域とに、上下に分割された状態で仕切られている自動販売機であって、遮熱フラッパが、軸支部を中心として先端部が下方に回動自在に配設され、閉鎖時において、その先端部側が下方に傾斜し、先端部同士が密接する姿勢となるように配設されていることを特徴とする自動販売機。
【請求項９】
遮熱フラッパの先端部が断面円弧形状に形成されていることを特徴とする請求項８に記載の自動販売機。
【請求項１０】
自動販売機本体内に配設された断熱室内に、上方から下方に延びる搬送通路が前後に複数列設けられた商品収納装置が配設され、この商品収納装置内の各搬送通路の空間が、各搬送通路の中間部で開閉する左右で対となった遮熱フラッパにより、上部商品収納領域と下部商品収納領域とに、上下に分割された状態で仕切られている自動販売機であって、遮熱フラッパを開閉自在に内部に配設させている保持ケースに、遮熱フラッパの軸支されている辺とこれに臨む保持ケースの壁面部分との間の隙間を上方から覆う第１張出部と、遮熱フラッパの閉鎖時の側面部分の辺とこれに臨む保持ケースの壁面部分との間の隙間を上方から覆う第２張出部とが設けられていることを特徴とする自動販売機。
【請求項１１】
保持ケースが、商品収納装置の側面部分をなす部材よりも断熱性の高い部材で形成されていることを特徴とする請求項１０記載の自動販売機。
【請求項１２】
商品収納装置において左右一対のラック側板間に所定数の列の搬送通路が設けられて商品収納ラックが形成され、前記商品収納ラックが、搬送通路の下端部にそれぞれ商品払出機構が配設された上部収納ユニットと、この上部収納ユニットの下方に着脱自在に配設され、遮熱フラッパが内蔵された遮熱ユニットと、この遮熱ユニットの下方に着脱自在に配設され、搬送通路の下端部にそれぞれ商品払出機構が配設された下部収納ユニットとから構成されていることを特徴とする請求項１〜１１の何れか１項に記載の自動販売機。
【請求項１３】
所定数の列の商品搬送通路に対応させて、所定数の組の遮熱フラッパをその内部の前後に保持した遮熱ユニットが、後方ほど順に上方となるように階段状に配設され、遮熱ユニットにおける後方の壁面部と、遮熱ユニットにおける商品搬送通路を仕切る仕切壁部分とにそれぞれ通風用の孔部が形成されていることを特徴とする請求項１２に記載の自動販売機。
【発明の詳細な説明】
【技術分野】
【０００１】
本発明は自動販売機、特に、商品収納装置が配設される自動販売機本体内の断熱室内空間や商品収納装置内を、調温（加温または冷却）される領域と、調温されない領域とに上下に仕切る自動販売機に関する。
【背景技術】
【０００２】
商品の長期加温による劣化を防止するための構造として、特許文献１〜３等に、上方から下方に延びる搬送通路が前後に複数列設けられた商品収納装置を、上下に２分割するとともに、これらの境界部に開閉自在の遮熱フラッパをそれぞれ設けて、上部商品収納領域と下部商品収納領域とに仕切った構造が開示されている。各商品収納領域の下端部に臨む箇所には、この商品収納領域に設けられた各搬送通路の下端の商品を下方に一つずつ払い出す商品払出機構が配設されている。すなわち、この種の自動販売機では、下部商品収納領域の下端部に商品払出機構が配設されているだけでなく、上部商品収納領域の下端部、つまり、商品収納装置の上下方向略中間位置にも商品払出機構が配設されている。
【０００３】
この構造によれば、商品収納装置内が、上部商品収納領域と下部商品収納領域とに２分割されて仕切られているので、商品を加温して販売する場合でも、上部商品収納領域については内部を加温せず、下部商品収納領域のみ加温して温度調整（調温）することで、商品が上部商品収納領域に収容されている間については、加温による劣化を防止することができ、ひいては、販売する商品（例えば乳成分を含む商品）の長期加温による劣化を最小限に抑えることができる。また、下部商品収納領域については内部を加温しているので、販売する商品は、下部商品収納領域に収納されている間に良好に加温されて販売される。また、下部商品収納領域のみ調温（加温や冷却）し、上部商品収納領域については調温しなくて済むので、商品収納装置全体を調温する場合と比較して、調温領域を小さくでき、ひいては省エネルギー化を図ることができる利点がある。
【０００４】
なお、商品収納装置内を上部商品収納領域と下部商品収納領域とに仕切る遮熱フラッパ（遮熱フラッパ）の配設構造については、特許文献１等において、図２９（ａ）、（ｂ）に示すように、略水平姿勢まで上方に回動するようにばね１２１で付勢されている左右の遮熱フラッパ１２２Ａを、その先端部同士が近接するように水平に配設したもの（いわゆる観音開き式の構造）が開示されている。なお、図２９（ａ）、（ｂ）における、１２３は、２列分の商品搬送通路が設けられている商品収納ラックの外枠であるラックフレーム、１２４は遮熱フラッパ１２２Ａを回動自在に支持する支持軸である。また、遮熱フラッパ１２２Ａについては、閉鎖時の状態を実線で示し、開放時の状態を点線で示している。
【０００５】
ここで、閉鎖時においても、左右の遮熱フラッパ１２２Ａをその先端部間に隙間をあけて配設している理由は、遮熱フラッパ１２２Ａの先端部同士が閉鎖時に当接して水平となる配置構成とすると、熱膨張や製造時の製造誤差などにより、遮熱フラッパ１２２Ａが捩れるなど不良な姿勢で互いに突き合う状態となることがあり、この場合には、うまく開閉することができなくなって商品詰まりを生じることがあるためである。したがって、このような不具合を生じないように、隙間をあけて水平姿勢となるように配設している。
【０００６】
また、商品収納装置内を上部商品収納領域と下部商品収納領域とに仕切る遮熱フラッパの配設構造の他の例としては、特許文献３等において、図３０（ａ）、（ｂ）に示すように、左右の遮熱フラッパ１２２Ｂを、その先端部同士が重なるように配設したものが開示されている。
【０００７】
なお、図２９、図３０に示す何れの構造の場合も、遮熱フラッパ１２２Ａ、１２２Ｂの側面がラックフレーム１２３の内壁面に隙間無く摺接する構造とすると、この摺接部分の摩擦によって、遮熱フラッパ１２２Ａ、１２２Ｂが良好に開閉できないおそれがあるので、遮熱フラッパ１２２Ａ、１２２Ｂの側面と、ラックフレーム１２３の内壁面との間に、図２９（ｂ）、図３０（ｂ）に示すように、隙間ｘがある状態で配設している。
【０００８】
ところで、商品を調温して販売するいわゆるサーペンタイン式の自動販売機では、商品販売時や商品補充時には、商品収納装置が自動販売機本体に収納された状態であるが、商品詰まりなどを生じて、商品収納装置のメンテナンス作業を行う場合には、商品収納装置を引き出して係員が作業できる状態にしなければならないので、自動販売機の天井部下面にスライドレール装置を取り付け、このスライドレール装置に沿って商品収納装置を自動販売機本体から引き出せるよう構成されている。しかしながら、商品収納装置を自動販売機本体側から引き出した状態では、商品収納装置が、自動販売機本体側のスライドレール部分から離脱してしまう構造であり、この際には、商品収納装置を近くに載置するなどして、分解する（メンテナンス作業を行う）ことが一般に行われる。
【０００９】
しかし、このような構造であると、メンテナンス作業を行う際に、商品収納装置の載置場所などをその都度、探さなければならず、多くの手間や時間がかかる欠点がある。また、適した載置場所が見つからない場合もあり、この場合には、メンテナンス作業に支障を来たしてしまう。また、上記のように、商品収納装置内部を遮熱フラッパなどにより２分割する構造の自動販売機の場合、一般の自動販売機よりも構造が複雑となるので、メンテナンス作業を必要とする場合には、より多くの手間や時間を要してしまうとともに、メンテナンス作業場所の確保も困難となるおそれがある。
【００１０】
一方、紙パック商品などを販売する自動販売機においては、商品収納装置を引き出して横方向から商品を補充する構造であり、自動販売機のメンテナンス時だけでなく、商品の補充時にも商品収納装置を引き出さなければならないので、商品収納装置が、自動販売機の天井部内面に取り付けたガイドレール装置に沿って自動販売機本体から引き出し自在に構成されているとともに、商品収納装置を引き出した際に吊り下げ姿勢を維持できるようになっている。
【００１１】
したがって、このような商品収納装置を自動販売機本体から引き出した状態でも、吊り下げ姿勢を維持できる構造を、いわゆるサーペンタイン式の自動販売機にも適用することが考えられ、この構造を採用することで、メンテナンス時に、商品収納装置を載置する場所を探さなくても、メンテナンス作業を行うことが可能となり、作業能率が向上する。なお、特許文献４にはこの種のガイドレール装置を備えた構造が簡略的に示されている。
【特許文献１】特開２０００−３０１３８公報
【特許文献２】特開２０００−５７４３１公報
【特許文献３】特開２００６−３０２１８２公報
【特許文献４】特開２００７−２６１６１公報
【発明の開示】
【発明が解決しようとする課題】
【００１２】
特許文献１や特許文献２には、商品収納装置内を、遮熱フラッパなどにより上部商品収納領域と下部商品収納領域とに２分割し、下部商品収納領域のみを調温する構造は開示されているものの、この商品収納装置が配設されている断熱室の壁面と商品収納装置との間の隙間を遮熱する構造に関しては、実用的で具体的な提案がない。
【００１３】
メンテナンス作業を容易に行えるように、この種の自動販売機でも、商品収納装置は自動販売機本体より手前側に出退可能に配設することが望ましいが、その場合に、断熱室内を上下に分割しながら、断熱室の内壁面と商品収納装置との間の隙間を塞ぐ構造としては、例えば、前後方向ならびに横方向に対して水平に延びる遮熱壁を、断熱室の内壁面と商品収納装置との間に跨るように配設することが考えられる。より、具体的には、断熱室の内壁側面に、商品収納装置の側面部側に向かって内側に延びる断熱室側遮熱壁を、横方向および前後方向に対して水平に延びるように形成し、また、商品収納装置の側面部から断熱室の内壁側面に向かって外側に延びる収納装置側遮熱壁を、前記断熱室側遮熱壁に接近した位置で、前後方向ならびに横方向に対して水平に延びるように形成する。そして、これらの遮熱壁間の隙間を埋めるように、各遮熱壁の少なくとも一方に、スポンジやパッキンなどのシール部品を取り付けて、商品収納装置が自動販売機本体内に収納されている収納姿勢ではシール部品が、これに臨む収納装置側遮熱壁（または断熱室側遮熱壁）に当接するように配設する。
【００１４】
この構造によれば、遮熱壁（詳しくは、断熱室側遮熱壁、収納装置側遮熱壁およびシール部品）により断熱室内を上下に２分割して仕切ることが可能であるとともに、メンテナンス時には、商品収納装置を自動販売機本体から手前に引き出すことも可能となる。
【００１５】
しかしながら、この構造では、シール部品を、その弾性力だけで収納装置側遮熱壁または断熱室側遮熱壁に当接させているので、長期使用などでこれらの間に隙間を生じやすくなり、隙間を生じた場合には断熱性能が低下してしまい、ひいては、販売する商品（例えば乳成分を含む商品）の長期加温による劣化を最小限に抑えることができなくなるおそれがある。
【００１６】
また、上部商品収納領域と下部商品収納領域とに仕切る遮熱フラッパの配設構造として、図２９（ａ）、（ｂ）に示すように、左右の遮熱フラッパ１２２Ａを、その先端部同士が近接するように水平に配設したものでは、閉鎖時においても、左右の遮熱フラッパ１２２Ａの先端部間に隙間があるので、下部商品収納領域の空気が前記隙間から上部商品収納領域に逃げて、上部商品収納領域も加温されてしまい、上部商品収納領域における商品の劣化を防止できなくなってしまう欠点がある。
【００１７】
一方、図３０（ａ）、（ｂ）に示すように、左右の遮熱フラッパ１２２Ｂを、その先端部同士が重なるように水平に配設したものでは、閉鎖時においても、遮熱フラッパ１２２Ｂの先端部同士の間に隙間を生じないので、これらの先端部同士の間から空気や熱が逃げてしまう（移動してしまう）ことを防止できる。しかしながら、閉鎖時において、左右の遮熱フラッパ１２２Ｂの先端部が良好に重ならず、場合によっては、左右の遮熱フラッパ１２２Ｂの先端部同士が衝突してしまう（図３０（ａ）、（ｂ）において、仮想線で示す）可能性があり、遮熱フラッパ１２２Ｂの閉鎖時の姿勢が不安定となる。また、熱膨張や製造時の製造誤差などにより、遮熱フラッパ１２２Ｂの姿勢を良好に重なる状態に制御できないおそれもある。
【００１８】
また、図２９、図３０に示す何れの構造の場合も、遮熱フラッパ１２２Ａ、１２２Ｂの側面と、ラックフレーム１２３の内壁面との間に隙間ｘ（図２９（ｂ）、図３０（ｂ）参照）を有する構造であるので、この間の隙間ｘから、下部商品収納領域の空気が上部商品収納領域に逃げて、上部商品収納領域も加温されてしまい、上部商品収納領域における商品の劣化を防止できなくなってしまう欠点があった。
【００１９】
本発明は上記課題を解決するもので、メンテナンス作業を良好に行うことができると同時に、断熱室内の断熱室内壁面と商品収納装置との間の断熱性能を良好に維持しながら断熱室内を上下に良好に分割することができる自動販売機を提供することを目的とするものである。
【００２０】
また、本発明は、遮熱フラッパおよびこの遮熱フラッパが配設されている箇所での遮熱性能を良好に維持することができる自動販売機を提供することを目的とするものである。
【課題を解決するための手段】
【００２１】
上記課題を解決するために、本発明は、自動販売機本体内に配設された断熱室内に、上方から下方に延びる搬送通路が前後に複数列設けられた商品収納装置が、自動販売機本体内に収納された収納姿勢から自動販売機本体より手前側に引き出された引出姿勢にわたって前後に引き出し押し込み可能に配設され、商品収納装置内の空間が、各搬送通路の中間部で開閉する遮熱フラッパにより、上部商品収納領域と下部商品収納領域とに上下に分割された状態で仕切られ、断熱室における商品収納装置外の空間が、遮熱壁部により上下に分割された状態で仕切られた自動販売機であって、前記遮熱壁部に設けられた遮熱壁が、後方ほど上方となる傾斜姿勢で配設され、前記遮熱壁部に、商品収納装置が収納姿勢側に向けて後方に押し込まれることで前記遮熱壁に上下方向にも圧接されるシール部品が配設されていることを特徴とする。
【００２２】
上記構成により、商品収納装置を自動販売機本体内に向けて後方へ押し込むにつれて、シール部品が遮熱壁に対して上下方向にも接近して圧接され、断熱室における商品収納装置外の空間が、遮熱壁部により良好にシールされた状態で仕切られる。このように、上記構成によれば、遮熱壁部の遮熱壁を、後方ほど上方となる傾斜姿勢で配設したので、商品収納装置の押し引き動作を利用した簡単な構成で、遮熱壁にシール部品を容易且つ確実に圧接させて良好にシールすることができ、良好な遮熱性能を得ることができる。
【００２３】
また、本発明の遮熱壁部は、自動販売機本体の断熱室内壁面に取り付けられた本体側遮熱壁と、商品収納装置に取り付けられた収納装置側遮熱壁と、本体側遮熱壁と収納装置側遮熱壁との少なくとも一方に取り付けられて、商品収納装置が断熱室内に収納された際に圧縮されて、本体側遮熱壁と収納装置側遮熱壁との間の隙間を埋めるシール部品とを備えていることを特徴とする。
【００２４】
この構成により、商品収納装置を自動販売機本体内に向けて後方へ押し込むにつれて、本体側遮熱壁と収納装置側遮熱壁とが上下方向にも接近する。これにより、自動販売機本体内に商品収納装置を収納した時点でシール部品が本体側遮熱壁と収納装置側遮熱壁との間で圧縮されて、断熱室における商品収納装置外の空間が、遮熱壁部により良好にシールされた状態で仕切られる。これにより、本体側遮熱壁や収納装置側遮熱壁にシール部品を容易且つ確実に圧接させて良好にシールすることができる。
【００２５】
また、本発明は、商品収納装置において搬送通路が前後に複数列配設され、搬送通路の中間部に設けられた遮熱フラッパを内装した遮熱ユニットが、後方ほど順に上方となるように階段状に配設され、遮熱ユニットの側面を結ぶラインに沿って、商品収納装置の外側箇所に、遮熱壁部が配設されていることを特徴とする。
【００２６】
これにより、商品収納装置の内外において上下方向に対して略同様なラインで遮熱されることとなり、遮熱性能を良好に維持することができる。つまり、商品収納装置の内外において、上下方向に対して大きく異なるラインで遮熱される場合には、異なる箇所での商品収納装置の内外での熱伝達が大きくなるので、この熱伝達による遮熱性能の低下を招くことがあったり、商品収納装置の内外での気密性を確保しなければならないため、遮熱ユニットの側面などに、通気性を有する孔などを形成できないなどの規制が必要となったりする不具合がある。これに対して、本発明ではこのような不具合を最小限に抑えることができ、良好な遮熱性能を維持できる。
【００２７】
また、本発明は、商品収納装置全体を自動販売機本体から手前側に引き出した際に吊り下げた姿勢を維持できるスライドレール装置が備えられていることを特徴とする。
この構成により、商品収納装置を自動販売機本体から手前側に引き出して吊り下げた状態に維持できるので、引き出した状態のままでメンテナンス作業などを行うことが可能となり、作業能率が向上する。
【００２８】
また、本発明は、商品収納装置が収納姿勢から手前側に移動しないように阻止して収納姿勢を維持する収納姿勢ロック装置が備えられていることを特徴とする。
この構成により、通常販売時などに、商品収納装置が収納姿勢から手前側に移動することを確実に阻止することができて、信頼性が向上する。
【００２９】
また、本発明は、商品収納装置が引出姿勢から奥側に移動しないように阻止して引出姿勢を維持する引出姿勢ロック装置が備えられていることを特徴とする。
この構成により、メンテナンス作業などを行うべく、商品収納装置を引出姿勢にした際に、商品収納装置が収納姿勢側に戻ることが阻止され、この結果、商品収納装置が良好に引出姿勢に維持された状態でメンテナンス作業を行うことができ、作業能率が向上する。
【００３０】
また、本発明の引出姿勢ロック装置は、商品収納装置を収納姿勢側から引出姿勢に移動した際に、収納姿勢側への移動を阻止するよう自動的にロックすることを特徴とする。
この構成により、メンテナンス作業などを行うべく、商品収納装置を収納姿勢側から引出姿勢に移動するだけで、商品収納装置が自動的に引出姿勢にロックされるので、引出姿勢に手動でロックする手間を省くことができるとともに、メンテナンス作業中に商品収納装置が収納姿勢側しないので、メンテナンス作業などにおける作業能率が向上する。
【００３１】
また、本発明は、自動販売機本体内に配設された断熱室内に、上方から下方に延びる搬送通路が前後に複数列設けられた商品収納装置が配設され、この商品収納装置内の各搬送通路の空間が、各搬送通路の中間部で開閉する左右で対となった遮熱フラッパにより、上部商品収納領域と下部商品収納領域とに、上下に分割された状態で仕切られている自動販売機であって、遮熱フラッパが、軸支部を中心として先端部が下方に回動自在に配設され、閉鎖時において、その先端部側が下方に傾斜し、先端部同士が密接する姿勢となるように配設されていることを特徴とする。
【００３２】
この構成により、使用時の熱膨張や製造時の製造誤差、あるいは長期使用による磨耗などにより、遮熱フラッパの大きさが変動した場合でも、先端部同士が当接して先端部間に隙間を生じていない傾斜姿勢を良好に維持でき、良好な遮熱性能を維持できて信頼性が向上する。
【００３３】
また、本発明は、自動販売機本体内に配設された断熱室内に、上方から下方に延びる搬送通路が前後に複数列設けられた商品収納装置が配設され、この商品収納装置内の各搬送通路の空間が、各搬送通路の中間部で開閉する左右で対となった遮熱フラッパにより、上部商品収納領域と下部商品収納領域とに、上下に分割された状態で仕切られている自動販売機であって、遮熱フラッパを開閉自在に内部に配設させている保持ケースに、遮熱フラッパの軸支されている辺とこれに臨む保持ケースの壁面部分との間の隙間を上方から覆う第１張出部と、遮熱フラッパの閉鎖時の側面部分の辺とこれに臨む保持ケースの壁面部分との間の隙間を上方から覆う第２張出部とが設けられていることを特徴とする。
【００３４】
この構成により、遮熱フラッパの閉鎖時において、保持ケースと、遮熱フラッパの外周辺部分との間の隙間が、第１張出部および第２張出部により覆われ、この結果、保持ケースと遮熱フラッパの軸支部や側面部分との間の隙間から、調温された下部商品収納領域からの空気が、調温されていない上部商品収納領域に流入することを最小限に抑えることができて、良好な遮熱性能を維持できる。
【００３５】
また、本発明は、保持ケースが、商品収納装置の側面部分をなす部材よりも断熱性の高い部材で形成されていることを特徴とし、この構成により、さらに良好な遮熱性能を得ることができる。
【００３６】
また、本発明は、商品収納装置において左右一対のラック側板間に所定数の列の搬送通路が設けられて商品収納ラックが形成され、前記商品収納ラックが、搬送通路の下端部にそれぞれ商品払出機構が配設された上部収納ユニットと、この上部収納ユニットの下方に着脱自在に配設され、遮熱フラッパが内蔵された遮熱ユニットと、この遮熱ユニットの下方に着脱自在に配設され、搬送通路の下端部にそれぞれ商品払出機構が配設された下部収納ユニットとから構成されていることを特徴とする。
【００３７】
この構成により、メンテナンス作業などを各ユニットに対して行うことができて、メンテナンス作業の効率化を図ることができる。また、遮熱ユニットや下部収納ユニットを共通化することも可能となる。
【００３８】
また、本発明は、所定数の列の商品搬送通路に対応させて、所定数の組の遮熱フラッパをその内部の前後に保持した遮熱ユニットが、後方ほど順に上方となるように階段状に配設され、遮熱ユニットにおける後方の壁面部と、遮熱ユニットにおける商品搬送通路を仕切る仕切壁部分とにそれぞれ通風用の孔部が形成されていることを特徴とする。
【００３９】
この構成により、遮熱ユニットを共通化しながら、前後に配列した遮熱ユニットにおける下方商品収納領域内の空気を、通風用の孔部を通して良好に循環することができて、省エネルギー化をより一層図ることができる。
【発明の効果】
【００４０】
以上のように本発明によれば、断熱室における商品収納装置外の空間を上下に分割する遮熱壁部の遮熱壁を、後方ほど上方となる傾斜姿勢で配設し、前記遮熱壁部に、商品収納装置が収納姿勢側に向けて後方に押し込まれることで前記遮熱壁に上下方向にも圧接されるシール部品を配設したことにより、商品収納装置の押し引き動作を利用した簡単な構成で、遮熱壁にシール部品を容易且つ確実に圧接させて良好にシールすることができ、良好な遮熱性能を得ることができる。
【００４１】
また、遮熱壁部として、自動販売機本体の断熱室内壁面に取り付けられた本体側遮熱壁と、商品収納装置に取り付けられた収納装置側遮熱壁と、本体側遮熱壁と収納装置側遮熱壁との少なくとも一方に取り付けられて、商品収納装置が断熱室内に収納された際に圧縮されて、本体側遮熱壁と収納装置側遮熱壁との間の隙間を埋めるシール部品とを備えることで、比較的簡単な構成で、本体側遮熱壁や収納装置側遮熱壁にシール部品を容易且つ確実に圧接させて良好にシールすることができる。
【００４２】
また、遮熱ユニットの側面を結ぶラインに沿って、商品収納装置の外側箇所に遮熱壁部を配設したことにより、商品収納装置の内外においてほぼ同様なラインで遮熱されることとなり、遮熱性能を良好に維持することができる。
【００４３】
また、商品収納装置全体を自動販売機本体から手前側に引き出した際に吊り下げた姿勢を維持できるスライドレール装置を備えたことにより、引き出した状態のままでメンテナンス作業などを行うことが可能となり、作業能率が向上する。
【００４４】
また、商品収納装置が収納姿勢から手前側に移動しないように阻止して収納姿勢を維持する収納姿勢ロック装置を備えたことにより、通常販売時などに、商品収納装置が収納姿勢から手前側に移動することを確実に阻止することができて、信頼性が向上する。
【００４５】
また、収納姿勢ロック手段として、商品収納装置を引出姿勢側から収納姿勢に移動した際に、手前側への移動を阻止するよう自動的にロックする構成としたことにより、収納姿勢に手動でロックする手間を省くことができるだけでなく、ロックし忘れることがないので、信頼性が向上する。
【００４６】
また、商品収納装置が引出姿勢から奥側に移動しないように阻止して引出姿勢を維持する引出姿勢ロック装置を備えたことにより、商品収納装置が良好に引出姿勢に維持された状態でメンテナンス作業を行うことができ、作業能率が向上する。
【００４７】
また、商品収納装置の側面部に、搬送通路の商品の姿勢を視認するとともに商品の姿勢を変更させる治具を挿入可能な作業用孔を形成したことにより、商品が搬送通路内で異常な姿勢となって商品詰まりを生じた場合でも、作業用孔から治具を挿入して、治具により商品が正常な姿勢となるように変更することができる。したがって、従来のように、商品収納装置を自動販売機本体の内部から取出して、分解するなどの多くの手間や時間がかかる作業を行わなくても済み、作業能率が向上する。
【００４８】
また、商品収納装置内の各搬送通路を上下に仕切る遮熱フラッパを、閉鎖時において、その先端部側が下方に傾斜し、先端部同士が密接する姿勢となるように配設したことにより、使用時の熱膨張や製造時の製造誤差、あるいは長期使用による磨耗などにより、遮熱フラッパの大きさが変動した場合でも、先端部同士が当接して先端部間に隙間を生じていない傾斜姿勢を良好に維持でき、良好な遮熱性能を維持できて信頼性が向上する。
【００４９】
また、遮熱フラッパの先端部を断面円弧形状に形成したことにより、遮熱フラッパの先端部同士が当接した場合でも、互いの開閉動作に支障を来たすことなくスムーズな開閉を維持でき、良好な信頼性を確保できる。
【００５０】
また、商品収納装置内の各搬送通路を上下に仕切る遮熱フラッパを開閉自在に内部に配設させている保持ケースに、遮熱フラッパの軸支されている辺とこれに臨む保持ケースの壁面部分との間の隙間を上方から覆う第１張出部と、遮熱フラッパの閉鎖時の側面部分の辺とこれに臨む保持ケースの壁面部分との間の隙間を上方から覆う第２張出部とを設けたことにより、遮熱フラッパの閉鎖時の閉鎖時において、保持ケースと、遮熱フラッパの外周辺部分との間の隙間が、第１張出部および第２張出部により覆われ、この結果、保持ケースと遮熱フラッパの軸支部や側面部分との間の隙間から、調温された下部商品収納領域からの空気が、調温されていない上部商品収納領域に流入することを最小限に抑えることができて、良好な遮熱性能を維持できる。
【００５１】
また、保持ケースを、商品収納装置の側面部分をなす側板よりも断熱性の高い部材で形成することにより、さらに良好な遮熱性能を得ることができる。
また、商品収納装置において左右一対のラック側板間に所定数の列の搬送通路が設けられた商品収納ラックを形成し、前記商品収納ラックを、搬送通路の下端部にそれぞれ商品払出機構が配設された上部収納ユニットと、この上部収納ユニットの下方に着脱自在に配設され、遮熱フラッパが内蔵された遮熱ユニットと、この遮熱ユニットの下方に着脱自在に配設され、搬送通路の下端部にそれぞれ商品払出機構が配設された下部収納ユニットとから構成したことにより、メンテナンス作業などを各ユニットに対して行うことができて、メンテナンス作業の効率化を図ることができる。また、遮熱ユニットや下部収納ユニットを共通化することも可能となる。
【００５２】
また、遮熱ユニットを、後方ほど順に上方となるように階段状に配設し、遮熱ユニットにおける後方の壁面部と、遮熱ユニットにおける商品搬送通路を仕切る仕切壁部分とにそれぞれ通風用の孔部を形成したことにより、遮熱ユニットを共通化しながら、前後に配列した遮熱ユニットにおける下方商品収納領域内の空気を、通風用の孔部を通して良好に循環することができて、省エネルギー化をより一層図ることができる。
【発明を実施するための最良の形態】
【００５３】
以下、本発明の実施の形態に係る自動販売機の商品収納装置を、図面に基づき説明する。なお、図１は本発明の実施の形態に係る自動販売機を簡略的に示す全体斜視図、図２（ａ）および（ｂ）は同自動販売機の自動販売機本体の側面断面図および全体斜視図（ただし、商品収納装置を１列分だけ配設した状態を示す）、図３（ａ）および（ｂ）は同自動販売機の自動販売機本体から商品収納装置を手前側に引き出した状態を示す側面断面図および全体斜視図（ただし、商品収納装置を１列分だけ配設した状態を示す）である。
【００５４】
図１に示すように、自動販売機の接客部としての前面には前面扉１が配設されており、この前面扉１は、商品が収納、搬送される商品収納装置１０（図２、図３参照）などが格納された自動販売機本体２に開閉可能に取り付けられている。前面扉１の上部には、多数の商品見本３が展示されている展示室２０が設けられているとともに、各商品見本３に対応して、利用者が購入する商品を選択する商品選択ボタン４などが配設されている。
【００５５】
前面扉１の中央部には、硬貨を投入するコイン投入口５や、投入金額などが表示される投入金額表示部６、釣銭や投入金を返却指示するための釣銭返却レバー７などが設けられている。また、前面扉１の下部には、購入商品が払い出される商品取出口８や、釣銭等が払い出されるコイン返却口９が設けられている。
【００５６】
図２や図３に示すように、自動販売機本体２における上部から中央部にかけては商品が収納され、外部から断熱された庫内（空間）１１とされている一方、自動販売機本体２の下部は外部と空気の流通がある庫外（空間）１２とされ、庫外１２には、図示しないが、冷凍サイクルの圧縮機や凝縮器などが配設されている。庫内１１は上下方向および奥行方向に延び、それぞれ断熱性を有する断熱仕切壁１３により、複数の断熱室１４に区画されている（図２においては、自動販売機本体２に、左右に４つの断熱室１４が形成されている場合を示す）。１５は、庫内１１と庫外１２とを断熱的に仕切る断熱底面部（いわゆる内箱の底面部）、１７は、庫内１１の前面開口部における中間部分を断熱して仕切る開閉自在の内扉である（この実施の形態では、庫内１１の前面開口部における中間部分だけを覆う場合を図示しているが、これに限るものではなく、庫内１１の前面開口部全体を内扉１７で開閉する構成でもよい）。なお、この実施の形態では、庫内１１の前面上部が、前面扉１の裏面上部で開閉自在とされており、前面扉１を開けると、後述する商品投入口２２が臨み、この商品投入口２２から商品を直接補充できるよう構成されているが、これに限るものではない。また、１８は商品収納装置１０から払い出された商品を商品取出口まで流れ落とすシュートである。
【００５７】
本実施の形態の自動販売機においては、各商品収納装置１０の中間部に、これより上方の上部商品収納領域と下方の下部商品収納領域とを断熱的に上下に仕切って２分割する左右で対となったいわゆる観音開き式で開閉自在の遮熱フラッパ２１（図４参照）が配設されているとともに、図３などに示すように、各断熱室１４における上下方向の略中間部に、後方ほど上方となるように傾斜する遮熱壁部１６が設けられている。そして、これらの遮熱フラッパ２１および遮熱壁部１６により、断熱室１４内が、上部商品収納領域を含む上部断熱領域１４ａと、下部商品収納領域を含む下部断熱領域１４ｂとに上下に２分割された断熱状態に仕切られている。図示しないが、各下部断熱領域１４ｂの底部（シュート１８の下方）には、下部断熱領域１４ｂ内の空気を冷却する冷凍サイクルの蒸発器や、下部断熱領域１４ｂ内の空気を加温するヒータ、空気を循環させる送風機などが配設されており、各下部断熱領域１４ｂ毎に、冷却または加温される（いわゆる調温される）よう構成されている。一方、遮熱フラッパ２１および遮熱壁部１６により、下部断熱領域１４ｂ内の空気が、上部断熱領域１４ａ側には流入しないよう図られており、上部断熱領域１４ａ内は、基本的に冷却されたり加温されたりしない（すなわち調温されない）よう図られている。
【００５８】
図４に示すように、商品収納装置１０内には、庫内１１の前面上部に臨む商品投入口２２から奥側に向かって下方に傾斜しながら延びる傾斜導入通路２３が上下に複数設けられているとともに、傾斜導入通路２３の奥端部にその上端が接続された搬送通路２４が前後方向に複数列（この実施の形態では６列）形成されている。搬送通路２４は、略上方から下方に蛇行状に延びて、商品を収納しつつ下方に送るように配設されている。この商品収納装置１０では、搬送通路２４が左右で対となった遮熱フラッパ２１により、上部商品収納領域と下部商品収納領域とに上下に２分割された状態で仕切られ、上部商品収納領域の下端部と下部商品収納領域の下端部とに、各商品収納領域における搬送通路２４の下端の商品を下方に一つずつ払い出す商品払出機構（いわゆるベンドメカニズム）２５が配設されている。
【００５９】
また、商品収納装置１０は、それぞれ２列分の搬送通路２４が設けられた商品収納ラック２６（２６Ａ〜２６Ｃ）が前後に複数（この実施の形態では３つ）連結された構成とされ、断熱室１４の天井面内面に沿って前後に延びるように取り付けられたスライドレール装置２７により、各商品収納ラック２６が吊り下げられた状態で、前後方向（すなわち奥行方向）にスライド自在に支持されている。図５〜図８などに示すように、スライドレール装置２７は、断熱室１４の天井面内面に取り付けられた取付固定枠２８と、取付固定枠２８の内側に固定された左右１対の外レール２９と、外レール２９に対して前後方向にスライド自在に支持された左右１対の中間スライドレール３０と、商品収納装置１０の上辺部分に取り付けられ、中間スライドレール３０に対して前後方向にスライド自在に支持された左右１対の内スライドレール３１などを備えている。そして、前面扉１および内扉１７を開けた状態で、スライドレール装置２７を介して、商品収納装置１０全体を手前に引き出せるようになっており、図３に示すように、商品収納装置１０全体を引き出した状態（引出姿勢と称す）でも、スライドレール装置２７により吊り下げた状態に維持可能に構成されている。なお、内スライドレール３１は、前後の商品収納ラック２６同士を連結する連結部材としても機能する。
【００６０】
なお、図７に示すように、スライドレール装置２７の前端部分には、商品収納装置１０を自動販売機本体２内に収納した姿勢（収納姿勢と称す）から、商品収納装置１０が手前側に移動しようとした場合でも、商品収納装置１０の側面部分をなす側板の前端部（後述する上部収納ユニット４１の側面部分をなす左右の上部ラック側板４７の上端前端部）に係合して、商品収納装置１０が手前側に飛び出すことを阻止して収納姿勢を維持する収納姿勢ロック装置３２が設けられている。この収納姿勢ロック装置３２は、外レール２９の前端部に固定され、前端が後方に屈曲するフック形状に形成された係止片３３と、この係止片３３を内側に押圧する板ばね３４とからなる。そして、商品収納装置１０を引出姿勢から収納姿勢に移動した際には、係止片３３のフック形状部分が、上部ラック側板４７の上端前端部を乗り越えて前方に位置して係合可能な姿勢となり、商品収納装置１０の手前側への移動を阻止するよう収納姿勢を自動的にロックして維持する。なお、商品収納装置１０を手前側に引き出す際には、図７（ｂ）に示すように、係止片３３を一時的に外側に押し広げる（ａ方向に移動させる）ことで、係止片３３が、上部ラック側板４７の上端前端部に係止しない位置となって、商品収納装置１０の前方への移動（引出動作）が許容される。
【００６１】
また、図９（ａ）、（ｂ）に示すように、スライドレール装置２７には、商品収納装置１０が自動販売機本体２から引き出された引出姿勢から、商品収納装置１０が奥側に移動しようとした場合でも、商品収納装置１０が奥側に移動しないようを阻止して引出姿勢を維持する引出姿勢ロック装置３６が設けられている。すなわち、内スライドレール３１の後端部には、ピン３７を介してロックレバー３５が揺動可能に取り付けられており、商品収納装置１０が自動販売機本体２から引き出されると、このロックレバー３５の先端部近傍箇所から下方に膨出する部分が、中間スライドレール３０の前端部に形成された切り起こし片部３０ａを乗り越えて、自動的に、この切り起こし片部３０ａに当接可能な位置関係となって、商品収納装置１０が奥側に移動しようとした場合には当接して奥側への移動が阻止されるよう構成されている（なお、ロックレバー３５が下方側に揺動するばねを内装してもよい）。これにより、商品収納装置１０を手前に引き出すと、自動的に引出姿勢にロックされて、この引出姿勢が良好に維持され、メンテナンス作業などを能率的に行えるように図られている。なお、メンテナンス作業などが終了し、商品収納装置１０を自動販売機本体２内に戻す際には、ロックレバー３５を一時的に持ち上げた状態で商品収納装置１０を押し込むことで、容易にロック状態が解除されて、支障なく押し込み動作を行うことができる。
【００６２】
図１０、図１１に簡略的に示すように、各商品収納ラック２６（２６Ａ〜２６Ｃ）は、搬送通路２４の下端部にそれぞれ商品払出機構２５が配設された上部収納ユニット４１と、この上部収納ユニット４１の下方に着脱自在に配設され、遮熱フラッパ２１およびこの遮熱フラッパ２１を開閉する遮熱フラッパ開閉機構５０（図１７〜図２０参照）が内蔵された遮熱ユニット４２と、この遮熱ユニット４２の下方に着脱自在に配設され、搬送通路の下端部にそれぞれ商品払出機構２５が配設された下部収納ユニット４３とから構成されている。なお、上部収納ユニット４１については、前側ほど下方に長い構成とされている（すなわち、商品収納ラック２６Ａが最も長く、商品収納ラック２６Ｃが最も短い）が、遮熱ユニット４２と、下部収納ユニット４３とはそれぞれ、同じ構造のものが用いられて（すなわち、各遮熱ユニット４２が同じ構造のものが用いられ、また、各下部収納ユニット４３が同じ構造のものが用いられて）共通化が図られている。
【００６３】
なお、前後３つの上部収納ユニット４１により上部商品収納装置が構成され、前後３つの遮熱ユニット４２により遮断装置が構成され、前後３つの下部収納ユニット４３により下部商品収納装置が構成されている。また、前後３つの上部収納ユニット４１は、内スライドレール３１をねじで固定することで互いに連結され、前後３つの遮熱ユニット４２は後述する連結部材９６をねじで固定することで互いに連結される。そして、後述する方法によって遮熱ユニット４２に対して下部収納ユニット４３を着脱することにより、下部商品収納装置全体を遮断装置に対して着脱することも可能であり、後述する方法によって上部収納ユニット４１に対して遮熱ユニット４２を着脱することにより、遮断装置全体を上部商品収納装置に対して着脱することも可能である。
【００６４】
図１２（ｂ）に示すように、上部収納ユニット４１の側面部分をなす左右の上部ラック側板４７は、下辺部分が両側方に少しだけ延ばされて摺接部としての延出部４７ａが形成されている。また、遮熱ユニット４２の側面部分をなす左右の遮熱ユニット側板５１の上辺部分には、内側に窪む摺接部としての段部５１ａが形成されている。そして、上部収納ユニット４１における上部ラック側板４７の延出部４７ａの上に、遮熱ユニット４２における遮熱ユニット側板５１の段部５１ａが載った状態で、上部収納ユニット４１に対して遮熱ユニット４２が前後方向にスライド可能に配設されており、上部収納ユニット４１に対して遮熱ユニット４２が所定位置まで押し込まれた状態で、遮熱ユニット側板５１の段部５１ａより上方に延びる箇所と、上部収納ユニット４１における上部ラック側板４７の下部とに渡って、固定手段としてのねじ５２がねじ込まれることで、上部収納ユニット４１に対して遮熱ユニット４２が固定される。
【００６５】
また、図１２（ｃ）に示すように、遮熱ユニット４２における遮熱ユニット側板５１の下辺部分には、摺接部としての断面Ｕ字形状のレール部５１ｂが形成されている。また、下部収納ユニット４３の側面部分をなす左右の下部ラック側板５３には、その上辺部分に、摺接部としての断面逆Ｕ字形状のレール部５３ａが形成されている。そして、遮熱ユニット４２における遮熱ユニット側板５１のレール部５１ｂの上に、下部収納ユニット４３における下部ラック側板５３のレール部５３ａが載った状態で、遮熱ユニット４２に対して下部収納ユニット４３が前後方向にスライド可能に配設されている。また、図１２（ｄ）、（ｅ）に示すように、遮熱ユニット側板５１の下辺部の前端部には、斜め内側に傾斜するストッパとしての抜け止め片５１ｃが形成されている。そして、遮熱ユニット側板５１のレール部５１ｂの真上に、下部ラック側板５３のレール部５３ａが載った状態で、下部収納ユニット４３が相対的に手前側に移動しようとした場合でも、下部ラック側板５３のレール部５３ａの前端部が、前記抜け止め片５１ｃ（この抜け止め片５１ｃを屈曲姿勢とした場合）に当接し、下部収納ユニット４３の手前側への移動が阻止されるように構成されている。なお、下部収納ユニット４３を、遮熱ユニット４２に対して手前側に引き出す際には、前記抜け止め片５１ｃを、下部ラック側板５３のレール部５３ａに当接しない位置まで外側に曲げて変形させることで、下部収納ユニット４３を手前側に引き出すことが可能である。
【００６６】
図４、図１３などに示すように、上部収納ユニット４１は、上部収納ユニット４１の側面部分をなす左右の上部ラック側板４７と、これらの間に配設されて、傾斜導入通路２３の底面部をなす複数の傾斜導入ガイド４８（具体的には、各上部収納ユニット４１に、前後方向に分割されて設けられている）と、左右の上部ラック側板４７間において互いに対向するように配設されて、搬送通路２４の前面部および後面部をなす略断面円弧状の案内ガイド（いわゆるセグメント）５６と、互いに背中合わせに配設される商品払出機構２５（図１６参照）などから構成される。
【００６７】
図１３〜図１６に示すように、商品収納ラック２６の一側面における上部商品収納領域の下端部に相当する位置には略矩形状の開口部６１が形成されている。また、この開口部６１を覆う略平板状の覆い板６２に、商品払出機構２５を支持させる支持枠体６３を組付けて固定している。図１５、図１６に示すように、支持枠体６３は、覆い板６２にその一端部側が固定される上枠６４および下枠６５と、上枠６４および下枠６５の他端部同士を固定する側部枠６６とから構成されており、覆い板６２と側部枠６６との間の間隔が、商品払出機構２５の幅よりも若干広い状態で固定されている。そして、支持枠体６３に左右１組の商品払出機構２５を互いに背中合わせの姿勢で係合させて、覆い板６２と支持枠体６３と１組の商品払出機構２５とをユニット化しており、このユニット化した商品払出ユニット６０を、開口部６１を通して挿入、離脱させることで商品収納ラック２６に対して着脱自在に構成している。また、左右一対の上部ラック側板（ラック側板）４７間に、商品払出ユニット６０の挿入時に、支持枠体６３の上枠６４を案内する上ガイド６７と、支持枠体６３の下枠６５を案内する下ガイド６８とが取り付けられており、メンテナンス作業時などには、商品払出ユニット６０を上ガイド６７と下ガイド６８とに沿わせながら容易に着脱可能に構成されている。
【００６８】
図１７〜図２０に示すように、遮熱ユニット４２は、遮熱ユニット４２の左右の側面部をなす遮熱ユニット側板５１の内側に、遮熱性に優れた樹脂製で四角枠形状の保持ケース８５（外側ケース部品８５Ａ〜８５Ｄと仕切りケース部品８５Ｅとで構成される）が配設され、この保持ケース８５内に、搬送通路２４毎に対応して観音開き式の対となった遮熱フラッパ２１が開閉自在に配設された構成とされている。ここで、遮熱フラッパ２１は、搬送通路に対して上部前端位置および上部後端位置となる箇所に回転支持用のピン８６が配設され、このピン８６を中心として先端部が下方に回動自在に配設されている。また、各遮熱フラッパ２１は、ピン８６に外装された付勢ばね８７により、上方に回動するよう付勢されており、これらの回転支持用のピン８６や付勢ばね８７などにより遮熱フラッパ開閉機構５０が構成されている。なお、遮熱フラッパ２１や保持ケース８５は、上述したように、断熱性に優れた（少なくとも、金属板製の遮熱ユニット側板５１よりも断熱性に優れている）樹脂製とされ、図２１（ａ）に示すように、遮熱フラッパ２１の先端部上部は断面円弧形状に形成されている。
【００６９】
そして、図１７（ｂ）、図２０（ａ）に示すように、閉鎖時においては、各遮熱フラッパ２１の先端部側が下方に傾斜し、先端部同士が当接して密接する姿勢となる。このように、閉鎖時には、遮熱フラッパ２１の先端部同士が密接して、これらの間から、遮熱フラッパ２１よりも下方の下部商品収納領域内の空気が、遮熱フラッパ２１よりも上方の上部商品収納領域内に流入し難くなるよう図られている。また、上部収納ユニット４１からの商品が遮熱フラッパ２１内に払い出された際には、商品の重量により、付勢ばね８７の付勢力に抗して、各遮熱フラッパ２１がさらに下方に回動して遮熱フラッパ２１間に開口部を生じる姿勢になり、商品の下部収納ユニット４３への搬送を許容する。
なお、図２１（ａ）〜（ｃ）に示すように、遮熱フラッパ２１として断熱性を向上させるべく、内部に中空部２１ａを形成した構造を採用したり、中空部２１ａを介して下面に断熱性に優れた高断熱性部材２１ｂを配設したり、厚み方向の中央部分を含む下面部に、断熱性に優れた高断熱性部材２１ｃを配設したりしてもよい。また、中空部２１ａを有する遮熱フラッパ２１を、ブロー成形やガスアシスト成形で形成してもよく、これにより良好な断熱特性が得られる。
【００７０】
遮熱フラッパ２１を開閉自在に内部に配設させている保持ケース８５の内壁面上部には、遮熱フラッパ２１の軸支部分の辺とこの辺に臨む保持ケース８５の壁面部分との間の隙間を上方から覆う第１張出部８５ｆと、遮熱フラッパの閉鎖時の側面部分の辺とこれに臨む保持ケース８５の壁面部分との間の隙間を上方から覆う第２張出部８５ｇとが一体形成されている。詳しくは、図１７（ｂ）に示すように、保持ケース８５において、前側の外側ケース部品８５Ａの内壁面（後面）上部と、仕切りケース部品８５Ｅの前面および後面の各上部と、後側の外側ケース部品８５Ｂの内壁面（前面）上部とは、それぞれ内側に第１張出部８５ｆが延出しており、これらの第１張出部８５ｆにより、各第１張出部８５ｆが形成されている壁面部分と遮熱フラッパ２１の軸支されている辺との間の隙間を上方から覆うことで、これらの間の空間部を通して、遮熱フラッパ２１よりも下方の下部商品収納領域内の空気が、遮熱フラッパ２１よりも上方の上部商品収納領域内に流入し難くなるよう構成されている。また、図２０（ｂ）、（ｃ）などに示すように、保持ケース８５において、左右の外側ケース部品８５Ｃ、８５Ｄの上部寄り部分は、閉鎖状態の遮熱フラッパ２１の側辺部が傾斜する傾斜形状に沿って、側面視略Ｖ字状の領域が内側に突出しており、この突出部の下面からなる第２張出部８５ｇにより、遮熱フラッパ２１閉鎖時の側面部分の辺と、前記第２張出部８５ｇが形成されている側壁面部分との間の隙間を上方から覆うことで、これらの間の空間部を通して、遮熱フラッパ２１よりも下方の下部商品収納領域内の空気が、遮熱フラッパ２１よりも上方の上部商品収納領域内に流入し難くなるよう構成されている。
【００７１】
これらの構成により、遮熱フラッパ２１の閉鎖時においては、遮熱フラッパ２１よりも下方の下部商品収納領域内の空気が、遮熱フラッパ２１よりも上方の上部商品収納領域内に流入し難くされている。なお、上部収納ユニット４１から商品が払い出されると、その商品の重量により、遮熱フラッパ２１が、付勢ばね８７の付勢力に抗して開放され、商品は、下部収納ユニット４３（下部商品収納領域）内へ送られる。
【００７２】
上述したように、上部収納ユニット４１については、前側ほど下方に長い構成とされているため、これに伴って、遮熱ユニット４２や下部収納ユニット４３も前側のものほど低い段違い姿勢（階段状に）で配置されている。そして、遮熱フラッパ２１よりも下方の下部商品収納領域内の空気が、良好に循環するように、図２２などに示すように、保持ケース８５内における遮熱フラッパ２１より下方の搬送通路２４間を仕切る仕切壁部分としての仕切りケース部品８５Ｅと、後方壁面部をなす後側の外側ケース部品８５Ｂとにはそれぞれ通気孔８５ｃが形成されて、前後の遮熱ユニット４２間や下部収納ユニット４３間での空気の流通状態が良好になるよう図られている。なお、最も後方の遮断ユニット４２内からの空気は、自動販売機本体２の背面内側に沿って延びる通風ダクト１９内に流入して循環されるよう構成されている。
【００７３】
図２３、図２４に示すように、下部収納ユニット４３の下部には、下部ラック側板５３間に、商品払出機構２５の上端部や下端部を係合させる固定用上ロッド部材９０および固定用下ロッド部材９１が取り付けられ、これらの固定用上ロッド部材９０および固定用下ロッド部材９１に対して、商品払出機構２５の上端部や下端部を係合させて、商品払出機構２５を組みつけている。なお、商品払出機構２５の構造は、上部収納ユニット４１に配設した商品払出機構２５と同じである。
【００７４】
下部収納ユニット４３の各搬送通路２４の上端部には、下部収納ユニット４３内の各搬送通路２４内に商品が満杯になったかどうかを検出するための満杯検知レバー９２が配設されているとともに、この満杯検知レバー９２による満杯検知動作を行う満杯検知スイッチセンサ９３がその近傍に配設されている。そして、下部収納ユニット４３において、商品の払出動作が行われて、搬送通路２４において満杯状態から非満杯状態に切り換わったことを検知した場合には、上部収納ユニット４１の商品払出機構２５を駆動させて、上部収納ユニット４１の搬送通路２４における下端の商品を、遮熱ユニット４２を介して下部収納ユニット４３側に搬送させ、下部収納ユニット４３の搬送通路２４へ商品が補充されるよう構成されている。
【００７５】
図２、図４、図２２などに示すように、上部ラック側板４７および覆い板６２には、搬送通路２４の商品の姿勢を視認するとともに商品の姿勢を変更させるドライバなどの治具を挿入可能な作業用孔８８が形成されている。また、図２３、図２４などに示すように、下部商品収納領域に対応する下部ラック側板５３には、搬送通路２４の商品の姿勢を視認するとともに商品の姿勢を変更させる治具を挿入可能な機能に加えて、調温された空気を導入可能な作業用兼通風孔８９が形成されている。この実施の形態では、通風孔としても兼用される下部ラック側板５３の作業用孔８９は、通風孔としては兼用されない上部ラック側板４７および覆い板６２の作業用孔８８よりも大きめのものが用いられているがこれに限るものではない。
【００７６】
図３、図５、図２２などに示すように、商品収納装置１０において、商品収納ラック２６内の領域においては、遮熱フラッパ２１により上部商品収納領域と下部商品収納領域とに分割されているが、図２５、図２６などに示すように、断熱室１４における商品収納ラック２６より外部の領域については断熱室１４における上下方向の中間部に、後方ほど上方となる傾斜姿勢で遮熱壁部１６が設けられている。ここで、遮熱フラッパ２１を内装する遮熱ユニット４２は、後方ほど順に上方となるように階段状に配設されているが、遮熱壁部１６は、前記遮熱ユニット４２の側面（より具体的には、遮熱ユニット４２の側面部の前端部下部近傍であるが、これに限るものではなく、遮熱ユニット４２の側面部の所定箇所であればよい）を略直線状に結ぶラインに沿って、商品収納装置１０の外側箇所に配設されている。
【００７７】
遮熱壁部１６は、断熱室１４の内壁面に傾斜姿勢で取り付けられた本体側遮熱壁７１と、商品収納装置に取り付けられた収納装置側遮熱壁７２と、本体側遮熱壁７１の上面に取り付けられた第１のシール部品としてのスポンジ９４と、収納装置側遮熱壁７２の下面に取り付けられた第１のシール部品としてのガスケット９５などから構成され、商品収納装置１０が後方に押し込まれて断熱室１４内に収納された際に、スポンジ９４とガスケット９５とが互いに上下方向にも圧縮されて、本体側遮熱壁７１と収納装置側遮熱壁７２との間の隙間を埋めるよう構成されている。
【００７８】
ここで、この実施の形態では、図２６に示す断熱室１４では、向かって右側の本体側遮熱壁７１Ａおよびスポンジ９４Ａが広幅に形成され、向かって左側の本体側遮熱壁７１Ｂおよびがスポンジ９４Ｂが狭い幅に形成されているが、これに限るものではない。また、断熱性を向上させるため、図２６、図２８に示すように、本体側遮熱壁７１の後端部に続く断熱室１４における背面内側部分にも、スポンジ９４Ｃが貼り付けられ、収納時には、このスポンジ９４Ｃが商品収納ラック２６の背面部に密接して、断熱性能を良好に維持する。また、図２８に示すように、内扉１７の背面に、内扉１７と商品収納装置１０の前面部分との間を塞ぐスポンジ９４Ｄが貼り付けられ、断熱性能を良好に維持する。
【００７９】
なお、図２５に示すように、収納装置側遮熱壁７２は、前後３つの遮熱ユニット４２にわたって、各遮熱ユニット４２の保持ケース８５の両側面部に取り付けられており、前後の商品収納ラック２６同士を連結する機能も兼ねており、前側ほど低い位置となるように、斜め方向に沿って延びるように取り付けられている。また、この実施の形態では、図２５〜図２７に示すように、向かって右側の収納装置側遮熱壁７２Ａは、その上面部分に、中間配線部８２からの配線が接続される上集合ハーネス部９７が沿わせて配設されており、また、下面部分の一部に、下部収納ユニット４３側からのハーネス部が接続される下集合ハーネス部９８が沿わせて配設されており、ハーネス部の挿通部（ハウジング部）としての役目も兼ねている。なお、下集合ハーネス部９８と下部収納ユニット４３側からのハーネス部とが通過する箇所には、本体側遮熱壁７１Ａおよびスポンジ９４との間に少しだけ隙間をあけるよう配設されており、断線などの支障を来たすことのないよう構成されている。なお、これらの上集合ハーネス部９７や下集合ハーネス部９８は後方に伸ばされて、通風ダクト１９の近傍箇所に沿って、庫外空間側に接続されている。
【００８０】
上記構成によれば、各商品収納ラック２６内（すなわち上部収納ユニット４１と遮熱ユニット４２と下部収納ユニット４３との内部）においては、遮熱フラッパ２１により、これより上方の空間（上部商品収納領域）と、これより下方の空間（下部商品収納領域）とに良好に物理的および熱的に仕切られる。
【００８１】
この場合に、遮熱フラッパ２１が、閉鎖時において、その先端部側が下方に傾斜し、先端部同士が密接した姿勢となるように配設されているので、使用時の熱膨張や製造時の製造誤差、あるいは長期使用による磨耗などにより、遮熱フラッパ２１の大きさが変動した場合でも、先端部同士が当接して先端部間に隙間を生じていない傾斜姿勢を良好に維持でき、良好な遮熱性能を維持できる。また、遮熱フラッパ２１の先端部を断面円弧形状に形成したことにより、遮熱フラッパ２１の先端部同士が当接した場合でも、互いの開閉動作に支障を来たすことなくスムーズな開閉を維持でき、良好な信頼性を確保できる。
【００８２】
また、遮熱フラッパ２１を開閉自在に内部に配設させている保持ケース８５に、遮熱フラッパ２１の軸支されている辺とこれに臨む保持ケース８５の前後の壁面部分（外側ケース部品８５Ａ、８５Ｂおよび仕切りケース部品８５Ｅ）との間の隙間を上方から覆う第１張出部８５ｆと、遮熱フラッパ２１閉鎖時の側面部分の辺とこれに臨む保持ケース８５の左右の壁面部分（外側ケース部品８５Ｃ、８５Ｄ）との間の隙間を上方から覆う第２張出部８５ｇとを設けたので、遮熱フラッパ２１の閉鎖時の閉鎖時において、保持ケース８５と、遮熱フラッパ２１の外周辺部分との間の隙間が、第１張出部８５ｆおよび第２張出部８５ｇにより覆われる。この結果、保持ケース８５と遮熱フラッパ２１の軸支部や側面部分との間の隙間から、調温された下部商品収納領域からの空気が、調温されていない上部商品収納領域に流入することを最小限に抑えることができて、良好な遮熱性能を維持できる。
【００８３】
また、商品収納装置１０が断熱室１４内に収納されている状態では、断熱室１４における商品収納ラック２６（商品収納装置１０）よりも外部の領域においては、手前側ほど低くなるように傾斜する遮熱壁部１６によって、これより上方の空間と下方の空間とが物理的および熱的に仕切られる。つまり、遮熱壁部１６を後方ほど上方となる傾斜姿勢で配設したので、商品収納装置１０を自動販売機本体２内に向けて後方へ押し込むにつれて、本体側遮熱壁７１に取り付けた第１のシール部品としてのスポンジ９４や、収納装置側遮熱壁７２に取り付けた第２のシール部品としてのガスケット９５が、互いに上下方向にも接近して圧縮され、断熱室１４における商品収納装置１０外の空間が、この遮熱壁部１６により良好にシールされた状態で仕切られる。また、上記構成によれば、遮熱壁部１６の遮熱壁７１、７２を、後方ほど上方となる傾斜姿勢で配設したので、商品収納装置１０の押し引き動作を利用した簡単な構成で、遮熱壁７１、７２にシール部品としてのガスケット９５やスポンジ９４を容易且つ確実に圧接させて良好にシールすることができ、良好な遮熱性能を得ることができる。なお、上記実施の形態では、ガスケット９５およびスポンジ９４を設けた場合を述べたが、一方だけを設けても良い。また、シール部品としては、弾性変形して密着できるものであれば、上記のものに限るものではない。
【００８４】
したがって、上記構成によれば、販売する商品として、乳成分を含むなど、長期加温した場合に劣化する恐れがある場合でも、商品が上部商品収納領域にある場合には加温されず、下部商品収納領域（下部収納ユニット４３）に搬送されてきてから加温されるので、商品の劣化を最小限に抑えることができる。また、下部商品収納領域については内部を加温しているので、販売する商品は、下部商品収納領域に収納されている間に良好に加温されて販売される。
【００８５】
また、上記構成によれば、遮熱壁部１６が、後方ほど順に上方となる階段状に配設された遮熱ユニット４２の側面を結ぶラインに沿って配設されているので、商品収納装置１０の内外において、上下方向に対してほぼ同様なラインで遮熱されることとなり、遮熱性能を良好に維持することができる。つまり、商品収納装置１０の内外において、上下方向に対して大きく異なるラインで遮熱される場合には、異なる箇所での商品収納装置１０の内外での熱伝達が大きくなるので、この熱伝達による遮熱性能の低下を招くことがあったり、商品収納装置１０の内外での気密性を確保しなければならないため、遮熱ユニット４２の側面などに、通気性を有する孔などを形成できないなどの規制が必要となったりする不具合がある。これに対して、本発明ではこのような不具合を最小限に抑えることができ、良好な遮熱性能を維持できる。
【００８６】
上記構成において、商品収納ラック２６内で商品詰まりを生じるなどしてメンテナンス作業が必要となった場合には、以下のような作業を行う。
すなわち、前面扉１および内扉１７を開けた状態で、スライドレール装置２７を介して、メンテナンス対象となる商品収納装置１０全体を手前に引き出す。図３に示すように、この状態で、商品収納装置１０全体がスライドレール装置２７により吊り下げられた状態のままで手前側に露出するので、まず、この状態で、商品収納装置１０（商品収納ラック２６（２６Ａ〜２６Ｃ））の状態を観察することができる。また、上部ラック側板４７や覆い板６２、下部ラック側板５３には、作業用孔８８や作業用兼通風孔８９が形成されているので、搬送通路２４の途中などで商品の姿勢が崩れて詰まってしまっていた場合などでも、この作業用孔８８や作業用兼通風孔８９を通して、商品の姿勢を視認することができるとともに、姿勢が崩れている商品に対して、作業用孔８８や作業用兼通風孔８９からドライバなどの治具を挿入して、商品を正常な姿勢に矯正することができ、これにより、このような場合には、商品収納装置１０を取り外したり、分解したりせずに、メンテナンス作業を行うことができて、作業能率が向上する。
【００８７】
また、上記のような治具の挿入などでは解決しない場合でも、上記構成によれば、上部収納ユニット４１と、遮熱ユニット４２と、下部収納ユニット４３とが互いに着脱自在であるので、メンテナンス時などに、対象となるユニットを取り外して作業することが可能となり、商品収納ラック全体を移動して分解する場合と比較して、作業の軽減化を図ることができる。例えば、前後方向中間の下部収納ユニット４３や後方の下部収納ユニット４３に対してメンテナンス作業を行う場合でも、図１１、図２６に示すように、これらの下部収納ユニット４３だけを取り外して、メンテナンス作業を行うだけで済み、手間や時間を最小限に抑えることができて、作業能率が極めてよい。
【００８８】
また、遮熱ユニット４２に対してメンテナンス作業を行う場合には、前後の遮熱ユニット４２同士を連結する連結部材９６を取り外した状態で、対象となる遮熱ユニット４２をその上方の上部収納ユニット４１から取り外して、メンテナンス作業を行えば済む。また、上部収納ユニット４１に対してメンテナンス作業を行う場合でも、上部収納ユニット４１における商品払出機構２５の箇所のメンテナンス作業を行う場合には、商品払出機構２５が組みつけられてユニット化されている商品払出ユニット６０を取り外して、作業を行えばよい。そして、この商品払出ユニット６０は、商品収納ラック２６の一側面に形成された開口部６１から引き出すことができるので、商品収納装置１０をスライドレール装置２７から吊り下げた状態のままで、商品払出ユニット６０を取り外すことができ、メンテナンス時の作業能率が良好となる。また、２つの商品払出機構２５を１つの商品払出ユニット６０に一体化したので、商品払出機構２５を個別に装着する場合と比較して、装着時の手間が半減する。
【００８９】
また、この場合に、商品払出ユニット６０の支持枠体６３は、覆い板６２に固定した上枠６４および下枠６５と、上枠６４および下枠６５同士を連結する側部枠６６とにより構成したことにより、極めて簡単な構成で、商品払出機構２５を安定した姿勢で良好かつ確実に組付けることができる。また、商品払出機構２５としても、従来と同様な一般的なものを用いることができ、ひいては製造コストの低減化を図ることができ、新規に商品払出機構を開発することによる開発費用や新規部品の保管費用などが別途に必要となることもない。
【００９０】
また、下部ラック側板５３に、搬送通路２４の商品の姿勢を視認するとともに商品の姿勢を変更させる治具を挿入可能で、かつ調温された空気を導入可能な作業用兼通風孔８９を形成したことにより、商品が搬送通路２４内で異常な姿勢となって商品詰まりを生じた場合に、作業用兼通風孔８９から治具を挿入して、治具により商品が正常な姿勢となるように変更することができるだけでなく、通常時において作業用兼通風孔８９を通して、搬送通路２４内に、調温された空気を良好に導入することができて、より効率的に商品を調温することができ、省エネルギー化を図ることができる。
【００９１】
また、２列分の搬送通路２４が設けられてなる商品収納ラック２６を、搬送通路２４の下端部にそれぞれ商品払出機構２５が配設された上部収納ユニット４１と、この上部収納ユニット４１に対して着脱自在で、遮熱フラッパ２１および遮熱フラッパ開閉機構５０が内蔵された遮熱ユニット４２と、遮熱ユニット４２に対して着脱自在で、搬送通路２４の下端部にそれぞれ商品払出機構２４が配設された下部収納ユニット４３とから構成したことにより、上部収納ユニット４１と、遮熱ユニット４２と、下部収納ユニット４３とが互いに着脱自在であるので、メンテナンス時などに、対象となるユニットを取り外して作業することが可能となり、商品収納ラック２６全体を移動分解する場合と比較して、作業の軽減化を図ることができる。
【００９２】
なお、下部収納ユニット４３を遮熱ユニット４２から取り外す際には、遮熱ユニット側板５１のレール部５１ｂに設けられた抜け止め片５１ｃを外側に曲げて変形させて、下部収納ユニット４３をスライドさせるだけで、下部収納ユニット４３を引き出すことが可能であるので、作業能率が良好であるとともに、通常時は、抜け止め片５１ｃにより、下部収納ユニット４３の正規位置が保持されるので良好な信頼性を維持することができる。また、遮熱ユニット４２を上部収納ユニット４１から取り外す際には、遮熱ユニット側板５１の上部と上部ラック側板４７の下部とに渡って通されたねじ５２を取外し、遮熱ユニット４２をスライドさせるだけで、容易に遮熱ユニット４２を分離することが可能であるので、作業能率が良好であるとともに、通常時は、ねじ５２により、遮熱ユニット４２の正規位置が保持されるので良好な信頼性を維持することができる。
【００９３】
また、前後方向に複数組並べて設けられた遮熱ユニット４２同士と下部収納ユニット４３同士とが同じ構造のものに共通化することにより、製造コストの低減化を図ることができる。
【００９４】
また、商品収納装置１０全体を自動販売機本体２から手前側に引き出した状態に保持できるスライドレール装置２７を備えたことにより、商品収納装置１０全体を自動販売機本体２から手前側に引き出した状態に保持できるので、引き出した状態のままでメンテナンス作業などを行うことも可能となり、作業能率が向上する。
【００９５】
さらに、上記構成によれば、商品収納装置１０が収納姿勢から手前側に移動しないように阻止して収納姿勢を維持する収納姿勢ロック装置３２が設けられているので、通常販売時などに、商品収納装置１０が収納姿勢から手前側に移動することを確実に阻止することができて、信頼性が向上する。また、この場合に、収納姿勢ロック装置３２は、商品収納装置１０を引出姿勢側から収納姿勢に移動した際に、手前側への移動を阻止するよう自動的にロックするので、メンテナンス作業などが終わり、商品収納装置１０を引出姿勢側から収納姿勢に移動するだけで、商品収納装置１０が自動的に収納姿勢にロックされる。これにより、収納姿勢に手動でロックする手間を省くことができるだけでなく、ロックし忘れることがないので、信頼性が向上する。
【００９６】
また、上記構成によれば、商品収納装置１０が引出姿勢から奥側に移動しないように阻止して引出姿勢を維持する引出姿勢ロック装置３６が設けられているので、メンテナンス作業などを行うべく、商品収納装置１０を引出姿勢にした際に、自動的に引出姿勢にロックされて商品収納装置１０が収納姿勢側に戻ることが阻止され、この結果、商品収納装置１０が良好に引出姿勢に維持された状態でメンテナンス作業を行うことができ、作業能率が向上する。
【００９７】
なお、上記実施の形態では、商品収納ラック２６を、上下方向に対して、上部収納ユニット４１と遮熱ユニット４２と下部収納ユニット４３との３つのユニットに３分割し、それぞれ２列分の搬送通路２４毎にモジュール化し、９個のユニットを連結して奥行方向に対して６コラム（搬送通路２４）、１列のラックユニットとして構成したが、これに限るものではなく、上部収納ユニット４１と遮熱ユニット４２とを一体化したり、または遮熱ユニット４２と下部収納ユニット４３とを一体化したりして、上下方向に対して２分割した構造としてもよい。また、前後方向に一体化する搬送通路２４の構成部品（いわゆるコラム）を、２列にせずに、前後方向に３つの搬送通路２４の構成部品（コラム）や、４つの搬送通路２４の構成部品（コラム）を一体化してもよい。
【００９８】
また、上記実施の形態では、上下方向での各ユニット（上部収納ユニット４１、遮熱ユニット４２、下部収納ユニット４３）間の連結構造をスライド方式とした場合を述べたが、これに限るものではなく、単純に上下方向に合わせて、複数のねじによって締結、連結してもよい。
【００９９】
また、上記実施の形態では、前後の上部収納ユニット４１同士の連結を、内スライドレール３１により行う構造としたが、これに限るものではなく、従来と同様に、自動販売機本体２の天井面下面に、断面形状が上向きＵ字状のブラケットを内スライドレールに一体化しておき、このブラケットに対して、上端部を下向きＵ字状に形成した上部収納ユニット４１を引っ掛ける構造とし、自動販売機の設置現場で、上部収納ユニット４１を自動販売機本体２から容易に離脱できるように構成してもよい。
【０１００】
また、上記実施の形態では、下部商品収納領域を含めた断熱室１４内の下部の空間（下部断熱領域１４ｂ）が加温され、上部商品収納領域を含めた断熱室１４内の上部の空間（上部断熱領域１４ａ）が加温されない場合を述べ、これにより、上部断熱領域１４ａでの商品の加温などによる劣化をより良好に防止できる利点がある。しかし、これに限るものではなく、上部商品収納領域を含めた上部断熱領域１４ａを、下部商品収納領域を含めた下部断熱領域１４ｂよりも、低い温度に調温されるように構成した場合でもよく、この場合でも商品の加温などによる劣化を抑えることができる利点がある。
【図面の簡単な説明】
【０１０１】
【図１】本発明の実施の形態に係る自動販売機を簡略的に示す全体斜視図である。
【図２】（ａ）および（ｂ）は同自動販売機の自動販売機本体の側面断面図および全体斜視図である（ただし、商品収納装置を１列分だけ配設した状態を示す）。
【図３】（ａ）および（ｂ）は同自動販売機の自動販売機本体から商品収納装置を手前側に引き出した状態を示す側面断面図および全体斜視図である（ただし、商品収納装置を１列分だけ配設した状態を示す）。
【図４】同自動販売機の商品収納装置の側面断面図である。
【図５】（ａ）は同自動販売機の商品収納装置上部の要部拡大正面図、（ｂ）は同自動販売機の商品収納装置の全体正面図、（ｃ）は同自動販売機の商品収納装置の全体斜視図である。
【図６】（ａ）〜（ｄ）は同自動販売機のスライドレール装置の要部正面図、平面図、側面図および斜視図である。
【図７】（ａ）および（ｂ）はそれぞれ同自動販売機のスライドレール装置の要部斜視図、（ｃ）は要部平面図である。
【図８】（ａ）および（ｂ）はそれぞれ同自動販売機の商品収納装置を手前側に引き出した状態を示す斜視図である。
【図９】（ａ）および（ｂ）は同自動販売機のスライドレール装置の要部斜視図、（ｃ）および（ｄ）は同自動販売機のガスケット配設部分の要部斜視図である。
【図１０】（ａ）および（ｂ）は同自動販売機の商品収納装置の各ユニットを簡略的に示した分解斜視図および全体斜視図である。
【図１１】同自動販売機の商品収納装置の各ユニットの着脱状態を簡略的に示した斜視図である。
【図１２】（ａ）〜（ｃ）は同自動販売機の商品収納ラックの全体斜視図、商品収納ラックの上部収納ユニットと遮断ユニットとの着脱部分の要部拡大正面断面図、商品収納ラックの遮断ユニットと下部収納ユニットとの着脱部分の要部拡大正面断面図、（ｄ）および（ｅ）は同商品収納ラックの遮断ユニットと下部収納ユニットとの着脱部分の要部拡大斜視図および要部拡大正面図である。
【図１３】同商品収納装置の全体斜視図である。
【図１４】同商品収納装置の商品払出ユニットを挿入しようとする状態を示した斜視図である。
【図１５】同商品収納装置の商品払出ユニットを上ガイドと下ガイドとの間に挿入しようとする状態を示した斜視図である。
【図１６】同商品払出ユニットの支持枠体と商品払出機構とを示す斜視図である。
【図１７】（ａ）および（ｂ）は同商品収納装置の遮熱ユニットの斜視図および側面断面図である。
【図１８】（ａ）〜（ｅ）は同遮熱ユニットの左側面図、背面図、平面図、正面図および右側面図である。
【図１９】同遮熱ユニットの分解斜視図である。
【図２０】（ａ）は同遮熱ユニットの側面断面図、（ｂ）は図２０（ａ）のｂ−ｂ線矢視断面図、（ｃ）は図２０（ａ）のｃ−ｃ線矢視断面図である。
【図２１】（ａ）〜（ｃ）はそれぞれ同遮熱ユニットの遮熱フラッパの断面図である。
【図２２】同商品収納装置の空気の流れ状態を示す側面断面図である。
【図２３】同商品収納装置の下部収納ユニットの斜視図である。
【図２４】同商品収納装置の下部収納ユニットの側面断面図である。
【図２５】同商品収納装置の斜視図である。
【図２６】（ａ）および（ｂ）は同自動販売機の自動販売機本体から商品収納装置を手前側に引き出した状態を示す側面断面図および全体斜視図である（ただし、商品収納装置を１列分だけ配設した状態を示す）。
【図２７】同商品収納装置の要部拡大正面図である。
【図２８】（ａ）および（ｂ）はそれぞれ同商品収納装置の要部拡大側面図である。
【図２９】（ａ）および（ｂ）は従来の商品収納装置の側面断面図および簡略的な正面図である。
【図３０】（ａ）および（ｂ）は他の従来の商品収納装置の側面断面図および簡略的な正面図である。
【符号の説明】
【０１０２】
１      前面扉
２      自動販売機本体
１０    商品収納装置
１３    縦遮熱壁
１４    断熱室
１５    仕切壁
１６    遮熱壁部
２１    遮熱フラッパ
２３    傾斜導入通路
２４    搬送通路
２５    商品払出機構
２６、２６Ａ〜２６Ｃ    商品収納ラック
２７    スライドレール装置
３２    収納姿勢ロック装置
３６    引出姿勢ロック装置
４１    上部収納ユニット
４２    遮熱ユニット
４３    下部収納ユニット
４７    上部ラック側板
５０    遮熱フラッパ開閉機構
５１    遮断ユニット側板
５３    下部ラック側板
５５    傾斜導入ガイド
５６    案内ガイド
６３    支持枠体
６４    上枠
６５    下枠
７１    本体側遮熱壁
７２    収納装置側遮熱壁
９４    スポンジ（第１のシール部品）
９５    ガスケット（第２のシール部品）
【図１】
2010146132.tif 000003
【図２】
2010146132.tif 000004
【図３】
2010146132.tif 000005
【図４】
2010146132.tif 000006
【図５】
2010146132.tif 000007
【図６】
2010146132.tif 000008
【図７】
2010146132.tif 000009
【図８】
2010146132.tif 000010
【図９】
2010146132.tif 000011
【図１０】
2010146132.tif 000012
【図１１】
2010146132.tif 000013
【図１２】
2010146132.tif 000014
【図１３】
2010146132.tif 000015
【図１４】
2010146132.tif 000016
【図１５】
2010146132.tif 000017
【図１６】
2010146132.tif 000018
【図１７】
2010146132.tif 000019
【図１８】
2010146132.tif 000020
【図１９】
2010146132.tif 000021
【図２０】
2010146132.tif 000022
【図２１】
2010146132.tif 000023
【図２２】
2010146132.tif 000024
【図２３】
2010146132.tif 000025
【図２４】
2010146132.tif 000026
【図２５】
2010146132.tif 000027
【図２６】
2010146132.tif 000028
【図２７】
2010146132.tif 000029
【図２８】
2010146132.tif 000030
【図２９】
2010146132.tif 000031
【図３０】
2010146132.tif 000032